(57)【要約】【課題】ブラシ振動を低減し、低騒音化を図ることができるモータを提供する。【解決手段】エンドハウジング２０の軸受保持部２２の内周面２２ａとブラシホルダ２１の開口端面２１ａとが面一に構成、即ちブラシホルダ２１の開口端面２１ａからのブラシ１５の突出分を考慮すると、軸受保持部２２の内周面２２ａ（軸受２３）より整流子１３が小さくなるようにモータ１０が構成される。【選択図】図１
2014014201.tif 000002
【特許請求の範囲】
【請求項１】
エンドハウジングに軸受保持部及びブラシホルダが一体に設けられ、前記軸受保持部に保持される軸受にて電機子の回転軸を支持するとともに、前記電機子の整流子に摺接するブラシを前記ブラシホルダに収容してなるモータであって、
前記軸受保持部の内周面と、前記ブラシが突出する前記ブラシホルダの開口端面とが面一となるように構成されたことを特徴とするモータ。
【請求項２】
請求項１に記載のモータにおいて、
前記ブラシは、前記ブラシホルダの開口端面からの突出量が１［ｍｍ］以下に設定されたことを特徴とするモータ。
【発明の詳細な説明】
【技術分野】
【０００１】
本発明は、整流子及びブラシを有するモータに関する。
【背景技術】
【０００２】
整流子及びブラシを有するモータにおいて、例えば特許文献１に示されるようなものが知られている。整流子及びブラシは、回転駆動時にブラシが整流子の外周面に摺接し、電機子巻線への給電態様を切り替えている。
【先行技術文献】
【特許文献】
【０００３】
【特許文献１】特開２０１１−１９３６８８号公報
【発明の概要】
【発明が解決しようとする課題】
【０００４】
ところで、整流子及びブラシを有するモータ-は、回転駆動時の整流子とブラシとが摺接する際にブラシが振動し、これが騒音の要因の一つとなる。車室空調用のブロワモータやワイパモータ等、回転駆動時の騒音低減が望まれるモータでは、整流子との摺接時に生じるブラシ振動を低減する構造の検討が行われている。
【０００５】
本発明は、上記課題を解決するためになされたものであって、その目的は、ブラシ振動を低減し、低騒音化を図ることができるモータを提供することにある。
【課題を解決するための手段】
【０００６】
上記課題を解決するために、請求項１に記載の発明は、エンドハウジングに軸受保持部及びブラシホルダが一体に設けられ、前記軸受保持部に保持される軸受にて電機子の回転軸を支持するとともに、前記電機子の整流子に摺接するブラシを前記ブラシホルダに収容してなるモータであって、前記軸受保持部の内周面と、前記ブラシが突出する前記ブラシホルダの開口端面とが面一となるように構成された。
【０００７】
この発明では、軸受保持部の内周面とブラシホルダの開口端面とが面一に構成、即ちブラシホルダの開口端面からのブラシの突出分を考慮すると、軸受保持部の内周面（軸受）より整流子が小さくなるようにモータが構成される。つまり、軸受にコストの安い既存（汎用）の軸受を使用しつつも小径の整流子としたことで、ブラシとの接触面積を小さく、またブラシとの摺接速度を遅くでき、ブラシの振動低減が可能となる。また、エンドハウジングが樹脂成形品である場合、軸受保持部の内周面とブラシホルダの開口端面とを面一としたことで、成形が困難なアンダーカット形状がエンドハウジングに生じず、エンドハウジングの作製が容易である。
【０００８】
請求項２に記載の発明は、請求項１に記載のモータにおいて、前記ブラシは、前記ブラシホルダの開口端面からの突出量が１［ｍｍ］以下に設定された。
この発明では、ブラシの突出量が１［ｍｍ］以下に設定されることから、ブラシに係る騒音の十分な低減が可能である。
【発明の効果】
【０００９】
本発明によれば、ブラシ振動を低減し、低騒音化を図ることができるモータを提供することができる。
【図面の簡単な説明】
【００１０】
【図１】一実施形態におけるモータの概略構成図である。
【図２】ブラシに係る騒音評価を説明するための説明図である。
【発明を実施するための形態】
【００１１】
以下、本発明を具体化した一実施形態を図面に従って説明する。
図１に示す本実施形態のモータ１０において、有底筒状のヨークハウジング（図示略）に回転可能に電機子１１が収容され、該ハウジングの開口部がエンドハウジング２０にて閉塞されてなる。エンドハウジング２０は、樹脂成形品よりなる。
【００１２】
電機子１１は、コアにコイルが巻装された電機子本体１２と、外周面に複数の整流子片１３ａが並設された整流子１３と、回転軸１４とを備えている。整流子１３（整流子片１３ａ）には、電機子本体１２から延びるコイルの端末線（図示略）が接続されている。整流子１３の外周面には複数のブラシ１５が当接し、整流子１３の回転に伴ってその外周面の整流子片１３ａ上を摺接する。ブラシ１５及び整流子１３にて、電機子１１の回転のための給電がなされる。
【００１３】
ブラシ１５は、略直方体状をなし、エンドハウジング２０に一体に形成される矩形筒状のブラシホルダ２１にて保持されている。ブラシ１５は、整流子１３の外周面に対して軸直交方向で径方向に沿って当接、及び同方向に沿って進退可能にブラシホルダ２１内に収容されている。ブラシ１５は、スプリング１６からの付勢力をその後端面で受け、先端面が整流子１３の外周面、即ち整流子片１３ａと圧接するようになっている。ブラシ１５は、整流子１３を挟んで一対備えられている（図１では、一方のみ図示）。
【００１４】
また、エンドハウジング２０には、ブラシホルダ２１の近傍に円筒状の軸受保持部２２が一体に形成されている。軸受保持部２２には、回転軸１４を支持するボール軸受等の軸受２３が圧入等により保持されている。
【００１５】
本実施形態では、軸受保持部２２の内周面２２ａと、ブラシ１５が突出するブラシホルダ２１の開口端面２１ａとは面一に設定されている。このことは即ち、ブラシホルダ２１の開口端面２１ａからのブラシ１５の突出量αを考慮すると、該ブラシ１５が摺接する整流子１３の直径ｒ１は、軸受保持部２２の直径ｒ２（軸受２３の直径でもあり、対向するブラシホルダ２１の開口端面２１ａ間の直径である）よりも小さく設定される（ｒ１＜ｒ２）。
【００１６】
次に、本実施形態の作用を説明する。整流子１３に対して摺接するブラシ１５は、整流子片１３ａの表面状態や隣接の整流子片１３ａ間にスリット１３ｂが介在する等の理由から、ブラシホルダ２１内で振動し、これがモータ１０の駆動時の騒音の一つとなっている。また、モータ１０の低コスト化の流れから軸受２３に低コストの汎用品を用いる場合、ブラシ１５の振動を低減するには、整流子１３の直径ｒ１を小さくして、ブラシ１５との接触面積を小さく、またブラシ１５との摺接速度を遅くするのが効果的である。そのため、本実施形態では、整流子１３の直径ｒ１が軸受保持部２２（軸受２３）の直径ｒ２よりも小さく設定されている。
【００１７】
また上記と合わせて、ブラシ１５の振動を低減するには、ブラシホルダ２１の開口端面２１ａからのブラシ１５の突出量αを小さくするのが効果的である。
図２は、ブラシ１５の突出量αを、Ａ「０．５」、Ｂ「０．７５」、Ｃ「１」、Ｄ「１．２５」、Ｅ「１．５」、Ｆ「１．７５」（単位は［ｍｍ］）と変化させた際のブラシ１５の騒音（ブラシ音）を測定した表及びグラフである。ブラシ１５の突出量αが小さいほど、ブラシ音（平均値）は小さくなる。これを踏まえ、本実施形態では、ブラシ１５の突出量αがＣ「１」、若しくはそれ以下に設定されている。
【００１８】
尚、整流子１３の直径ｒ１やブラシ１５の突出量αは小さいのが好ましいが、それを追求するあまり、ブラシホルダ２１の開口端面２１ａが軸受保持部２２の内周面２２ａよりも突出すると、エンドハウジング２０がアンダーカット形状となる。これではエンドハウジング２０の成形が困難となるため、本実施形態では、軸受保持部２２の内周面２２ａとブラシホルダ２１の開口端面２１ａとが面一に設定されている。
【００１９】
このようにしてモータ１０の各所の寸法が適正に設定され、ブラシ１５の振動低減、モータ１０の低騒音化が図られている。
次に、本実施形態の特徴的な効果を記載する。
【００２０】
（１）エンドハウジング２０の軸受保持部２２の内周面２２ａとブラシホルダ２１の開口端面２１ａとが面一に構成、即ちブラシホルダ２１の開口端面２１ａからのブラシ１５の突出分を考慮すると、軸受保持部２２の内周面２２ａ（軸受２３）より整流子１３が小さくなるようにモータ１０が構成される。つまり、軸受２３にコストの安い既存（汎用）の軸受を使用しつつも小径の整流子１３としたことで、ブラシ１５との接触面積を小さく、またブラシ１５との摺接速度を遅くでき、ブラシ１５の振動低減、ひいてはモータ１０の低騒音化に寄与できる。
【００２１】
また、軸受保持部２２の内周面２２ａとブラシホルダ２１の開口端面２１ａとを面一としたことで、成形が困難なアンダーカット形状がエンドハウジング２０に生じず、エンドハウジング２０の作製は容易である。
【００２２】
（２）ブラシホルダ２１の開口端面２１ａからのブラシ１５の突出量αが１［ｍｍ］以下に設定されることで、ブラシ１５に係る騒音を十分に低減することができる。
尚、本発明の実施形態は、以下のように変更してもよい。
【００２３】
・ブラシ１５を軸直交方向で径方向に沿って配置したが、ブラシ１５の配置態様はこれに限らず、例えばブラシ１５を軸に対して傾斜させてもよい。
・整流子１３を挟んで一対のブラシ１５（ブラシホルダ２１）を備えたが、３個以上のブラシを備えるモータに適用してもよい。
【００２４】
・エンドハウジング２０に軸受保持部２２とブラシホルダ２１とを一体に形成したが、例えばブラシホルダをエンドハウジングと別体とし、組み付ける態様であってもよい。
【符号の説明】
【００２５】
１０…モータ、１１…電機子、１３…整流子、１４…回転軸、１５…ブラシ、２０…エンドハウジング、２１…ブラシホルダ、２１ａ…開口端面、２２…軸受保持部、２２ａ…内周面、２３…軸受、α…突出量。
【図１】
2014014201.tif 000003
【図２】
2014014201.tif 000004